(57)【要約】【課題】複雑なマニュアル設定によらずに自動で節水が行われる全自動の洗濯機を提供する。【解決手段】洗濯槽と、前記洗濯槽内で洗濯する洗濯量を計測する洗濯量センシング手段と、前記洗濯槽に洗濯水を注水する給水手段と、洗濯の運転動作を制御する制御装置を備えた洗濯機において、標準コースおよび節水コースを含む複数の洗濯モードの中から所定の洗濯モードを選択する操作部を有し、前記洗濯量センシング手段で計測した洗濯量に応じて定められる洗濯水量は、前記標準コースを選択した場合よりも前記節水コースを選択した場合の方を少なくした。【選択図】  図２
2013255530.tif 000002
【特許請求の範囲】
【請求項１】
洗濯槽と、前記洗濯槽内で洗濯する洗濯量を計測する洗濯量センシング手段と、前記洗濯槽に洗濯水を注水する給水手段と、洗濯の運転動作を制御する制御装置を備えた洗濯機において、
標準コースおよび節水コースを含む複数の洗濯モードの中から所定の洗濯モードを選択する操作部を有し、
前記洗濯量センシング手段で計測した洗濯量に応じて定められる洗濯水量は、前記標準コースを選択した場合よりも前記節水コースを選択した場合の方を少なくしたことを特徴とする洗濯機。
【請求項２】
請求項１において、
前記洗濯量センシング手段による計測結果に基づき投入すべき洗剤量を表示させる表示部を有し、
同じ洗濯量でも前記標準コースと前記節水コースとで同じ洗剤量を前記表示部に表示させることを特徴とする洗濯機。
【請求項３】
請求項１において、
前記節水コースでは、前記標準コースで行う溜めすすぎに代えて、シャワー注水脱水すすぎを行うことを特徴とする洗濯機。
【請求項４】
請求項１において、
前記洗濯量センシング手段が計測した洗濯量が規定値以下の場合、前記節水コースでの水量を前記標準コースの水量と同じにすることを特徴とする洗濯機。
【請求項５】
請求項１において、
前記制御装置は、前記標準コースおよび前記節水コースのデータテーブルを収めたメモリを有し、前記データテーブルは洗濯量に対応する前記標準コースの洗濯水量と前記節水コースの洗濯水量がそれぞれ関連付けされて格納され、
前記標準コースが選択されているときは、前記洗濯量センシング手段が計測した洗濯量に対応する前記標準コース側の洗濯水量がデータテーブルから読み出されて使われ、
前記節水コースが選択されているときは、前記洗濯量センシング手段が計測した洗濯量に対応する前記節水コース側の洗濯水量がデータテーブルから読み出されて使われることを特徴とする洗濯機。
【発明の詳細な説明】
【技術分野】
【０００１】
本発明は、洗濯する布類量を自動的に計測して全行程を自動的に運転することができる全自動の洗濯機に関するものである。
【背景技術】
【０００２】
この種の洗濯機は、例えば、下記特許文献１に記載されている。特許文献１に示す全自動の洗濯機は、洗濯槽と、洗濯槽内で洗濯する洗濯量を計測する洗濯量センシング手段と、洗濯槽に洗濯水を注水する給水手段と、洗濯槽に溜まる洗濯水量の水位を検知する水位検知手段と、洗濯の運転動作を制御する制御装置を有し、洗濯量センシング手段で計測した布類量に応じて洗濯水量および洗剤量を決定し、その洗濯水量および洗剤量を洗濯槽内に供給して洗濯、すすぎ、最終脱水まで自動的に運転する。
【先行技術文献】
【特許文献】
【０００３】
【特許文献１】特開平６−３４３７８９号公報
【発明の概要】
【発明が解決しようとする課題】
【０００４】
上記従来の洗濯機は、洗う布類量の計測を含む全行程が自動的に行われるので、使い勝手がよく、洗う布類量に応じ洗濯水量および洗剤量が一義的に決まるので個々のユーザにとって洗濯水量および洗剤量がまちまちになることがなく、最適な洗濯を提供できる。
【０００５】
一方、この全自動の洗濯機には、全自動以外の使い方もできるように、洗い時間、すすぎ回数、脱水時間、洗濯水量などをユーザが手動で設定できる機能も備わっている。このマニュアル設定機能を使い、水道水の節水呼び掛けや給水制限への節水の対応はできるのであるが、あまり有効に利用されていないのが現状である。
【０００６】
洗濯水量、洗剤量、およびすすぎ回数等のマニュアル設定は普段から利用していないと、設定するのに困ってしまう。ましてや通常と違う節水の洗濯では、通常よりも洗濯水量や洗剤量をどの程度を少なくすればいいのか、その適量がことさらわからない。このため手動での節水設定をせずに自動で行う通常の標準的な洗濯運転をするのが一般的である。
【０００７】
また、手動で節水設定をしても個々のユーザで設定がまちまちで洗濯量に対した節水にならないこともあり得る。
【０００８】
本発明は上記の課題に対処し、複雑なマニュアル設定によらずに自動で節水が行われる全自動の洗濯機を提供することを目的とする。
【課題を解決するための手段】
【０００９】
本発明は、洗濯槽と、前記洗濯槽内で洗濯する洗濯量を計測する洗濯量センシング手段と、前記洗濯槽に洗濯水を注水する給水手段と、洗濯の運転動作を制御する制御装置を備えた洗濯機において、標準コースおよび節水コースを含む複数の洗濯モードの中から所定の洗濯モードを選択する操作部を有し、前記洗濯量センシング手段で計測した洗濯量に応じて定められる洗濯水量は、前記標準コースを選択した場合よりも前記節水コースを選択した場合の方を少なくした。
【発明の効果】
【００１０】
本発明によれば、洗濯量センシング手段で計測した洗濯量に応じて定められる洗濯水量は、節水コースでの水量を標準コースの水量よりも少なくしたので、複雑なマニュアル設定によらずに自動で定量の節水を図ることができる。
【図面の簡単な説明】
【００１１】
【図１】本発明の実施例に係るもので、洗濯機の全体を縦に断面した縦断面図である。
【図２】本発明の実施例に係るもので、洗濯機の操作表示パネルを示す図である。
【図３】本発明の実施例に係るもので、制御装置のブロック制御回路図である。
【図４−Ａ】本発明の実施例に係る全自動工程表図であって、標準コースを示している。
【図４−Ｂ】本発明の実施例に係る全自動工程表図であって、節水コースを示している。
【図４−Ｃ】本発明の実施例に係るもので、節水コースで実行するシャワーすすぎを脱水回転との関係で示した図である。
【図５】本発明の実施例に係るもので、洗濯量（負荷量）に応じた洗濯水量（給水量）・洗剤量を標準コースと節水コースに分けて対比表としてまとめたデータテーブルである。
【図６−Ａ】本発明の実施例に係る洗濯水量（給水量）を示す表形式の図であって、標準コースを示している。
【図６−Ｂ】本発明の実施例に係る洗濯水量（給水量）を示す表形式の図であって、節水コースのその１を示している。
【図６−Ｃ】本発明の実施例に係る洗濯水量（給水量）を示す表形式の図であって、節水コースのその２を示している。
【図７】本発明の実施例に係るもので、標準コースと節水コースのフローを示すフローチャートである。
【発明を実施するための形態】
【００１２】
本発明の実施形態に係る実施例について、図を用いて説明する。  
まず、本実施例における洗濯機の構成の概要について、図１、図２、図３に基づいて説明する。
【００１３】
図１に示す洗濯機の外筺体は、外枠１、外枠１を支持する外枠ベース２、外枠１の上部に設けられたトップカバー３、トップカバー３に開閉自在に備わる蓋４を有する。外槽５は外枠１内にあって外枠１の上側内部に設けた４ヶ所のコーナ支持部８より垂下する吊棒７に防振バネ２１を介して防振支持される。洗濯槽９は外槽５内に回転自在に置かれる。洗濯脱水モータ１９としてのＤＣブラシレスモータは外槽５の底側下面に設けられる。洗濯脱水モータ１９はフランジ２０を用いて外槽５に取り付けられる。
洗濯脱水モータ１９の回転主軸３３は洗濯槽９の底面フランジ３９に固定され、洗濯槽９を支持する。また、回転主軸３３の内側の回転軸（図示せず）には、洗濯槽９内の中央部に回転自在に置かれる攪拌翼１１が設けられている。この洗濯機は、洗濯槽、外槽が縦置きのいわゆる縦型洗濯機で、洗濯水を洗濯槽に溜めて洗濯するものであり、横型タイプのドラム式洗濯機に比べ洗濯水を多く使う構成となっている。
【００１４】
洗濯脱水モータ１９は、回転伝達切り替え手段（図示せず）で切り替えられる。回転伝達切り替え手段の切り替えで洗濯脱水モータ１９の回転が攪拌翼１１を正逆回転させ洗濯が行われる。
【００１５】
洗濯脱水モータ１９の回転が上記内側回転軸だけに伝えられると、攪拌翼１１が攪拌回転し、洗濯槽９内の洗濯物３８が攪拌され洗濯される。
【００１６】
また、回転伝達切り替え手段の切り替えで洗濯脱水モータ１９の回転が洗濯槽９に伝達されると、洗濯槽９は一方向に回転し、洗濯物３８に含まれた水分の遠心脱水が行われる。
【００１７】
洗濯物３８の脱水では洗濯脱水モータ１９は高速で回転し、洗濯槽９の胴体に設けた脱水穴１２から遠心脱水が行われる。洗濯槽９は上部にバランサー１０を備えているので、遠心脱水時、洗濯物の片寄りによるアンバランス発生時の異常振動は緩和される。
【００１８】
コントロール基板２７はトップカバー３の前側に備えられる。このコントロール基板２７は、図２に示す操作表示パネル９１の裏面に設けられる。操作表示パネル９１は、図２に示すように、電源スイッチキー１０１、スタートキー１０２、プログラム選択キー１０３、水量設定キー１０４、脱水設定キー１０５、すすぎ設定キー１０６、洗い設定キー１０７を含む各種の入力スイッチを有する。
【００１９】
また、操作表示パネル９１はコース表示部１１１を有する。コース表示部１１１は全自動コース表示がされている。
【００２０】
７セグＬＥＤ部１１２では水量／洗剤量を表示し、脱水時間表示１１３、すすぎ回数表示１１４、洗い時間表示１１５を有する。
【００２１】
コース表示部１１１は、標準コース、節水コース、お急ぎコース、つけおきコースなどの自動進行コースを有する。
【００２２】
初期時には電源スイッチ１０１のオンにより、標準コースが選択されて点灯する。標準コースが選択されているもとで、プログラムキー１０３を一回押すと、節水コースが選択されて点灯し、標準コースは解除されて消灯する。さらにプログラムキー１０３を押すと、お急ぎコースが、さらにまたプログラムキー１０３を押すとつけおきコースが選択される。プログラムキー１０３を押す毎に選択されてコースがかわり一巡して標準コースに戻る。
【００２３】
水量／洗剤量表示１１２は洗濯物３８の量をセンシングした結果、洗濯物３８の量に対する適正な水量や、洗剤量が表示される。また脱水時間表示１１３、すすぎ回数表示１１４、洗い時間表示１１５も同様に、センシングの情報に基づき、洗濯物３８の量に対した適性な条件が表示される。これらの表示は、水量キー１０４、脱水キー１０５、すすぎキー１０６、洗いキー１０７を押すことにより表示内容が変更され、洗濯運転動作の設定を変えることができる。
【００２４】
図１に戻って、水位センサー４１はトップカバー３の前側に備えられる。圧力チューブ２６を介して水位センサー４２はエアートラップ１４の空気室１５に通じている。外槽５内に貯留する洗濯水の水位は水圧の変化により水位センサー４１により検知され、その水位情報はコントロール基板２７に提供され、給水がコントロールされる。
【００２５】
外槽５の底部は排水口２２ａに連通し、排水電磁弁２２を介して排水ホース２３に接続されている。洗濯やすすぎで使用した水は排水電磁弁２２の開放で排水ホース２３を通じて機外へ排水される。
【００２６】
脱水が行われる脱水運転は排水電磁弁２２を開放したままで行う。排水電磁弁２２の開閉、洗濯脱水モータ１９の運転、停止、速度調整などは、基板２７によりコントロールされる。
【００２７】
給水手段である注水ケース２５は、給水電磁弁６、蛇口に取り付けられた給水ホース（図示省略）を接続する給水接続口２４を有する。外槽カバー１３は外槽５の上部に設けられる。注水ケース２５から流出する水道水が洗濯槽９の外側に逸れても外槽カバー１３にガイドされ機外に流出して床面を濡らさないような構成となっており、全ての供給された水は洗濯槽９に注がれる。
【００２８】
洗剤トレー１６はバランサー１０の内周側で注水ケース２５の真下に位置するように設けられる。洗剤トレー１６の受口は注水ケース２５に向けて開口する。洗剤トレー１６に連通する洗剤流下路１７は洗濯槽９の胴体に沿って下方に延在し、洗濯槽９の底部外側に開口する洗剤排出口１８を有する。
【００２９】
洗剤は洗剤投入装置から洗剤トレー１６に投入される。注水ケース２５から洗剤トレー１６に注がれた水により、洗剤流下路１７を流下して洗濯槽９の下部に位置している洗剤排出口１８から外槽５に溜まり、洗濯水に混じって溶解する。良く溶解することにより、洗剤の化学力を有効に導き出して、高い洗浄効果を提供することができる。
【００３０】
注水ケース２５はシャワー散水２８と洗剤注流２９をもたらす。シャワー散水２８は洗濯槽９を定速で一方向に回動しながら注水するため、洗濯物全体に亘り散布される。また、同時に洗剤注流２９からは洗濯槽９が１回転毎に洗剤トレー１６に注がれる。シャワー散水２８はすすぎ工程でより有効になる。
【００３１】
脱水後には、洗濯物３８は、洗濯槽９の高速回転により洗濯槽９の内周に均一に押し付けられた状態となっている。脱水が終了した後の、すすぎ工程では、清水が給水電磁弁６の制御により、洗濯物３８に注水ケース２５からシャワー散水２８される。シャワー散水２８は洗濯槽９の内周に張り付いている洗濯物に均一に注がれるので斑なく洗濯物はすすがれる。
【００３２】
シャワー散水２８は洗濯槽９をシャワー時の水はねを考慮して、約２００RPM以下の低速で回転しながら行われる。この程度の低速でシャワー散水２８をすることにより、すすぎ水が洗濯物に十分浸透し、すすぎがよくなる。シャワーすすぎ散水後は、散水を止め、洗濯槽９を高速回転して脱水する。
【００３３】
次に、本実施例における洗濯機の制御装置のブロック制御回路図を示す図３を用いて説明する。制御装置のブロック制御回路は、前述したコントロール基板２７に備わる。
【００３４】
制御回路は、マイコンで作られた制御ユニット部６１、入力回路部７０、出力駆動回路部７１を有する。制御ユニット部６１（制御手段）は、ＣＰＵ６２（中央制御部）、タイマー６３、メモリー６４、出力ポート６５、入力ポート６６を有する。ＣＰＵ６２には、演算部６２ａ、制御部６２ｂを有する。メモリー６４はＲＡＭ６４ａとＲＯＭ６４ｂを有する。
【００３５】
入力回路部７０には、電源スイッチキー１０１、水位センサー４１、ＩＣホール素子７４、蓋開閉センサー７５、プログラムキー（全自動選択キー）１０３、水量キー１０４、脱水キー１０５、すすぎキー１０６、洗いキー１０７を含むマニュアル設定キー７７、布量センサー７８が接続される。各種のスイッチやセンサーの情報信号は入力回路部７０に入力され、入力回路部７０を通じて制御ユニット部６１（制御手段）に情報を伝達する。
【００３６】
出力駆動回路部７１には、洗濯脱水モータであるＤＣブラシレスモータ１９、給水電磁弁６、排水電磁弁２２、蓋ロックソレノイド７９、終了ブザー８０、操作表示パネル９１が接続される。ＤＣブラシレスモータ１９、排水電磁弁２２を含む各種電気機器は制御ユニット部６１（制御手段）の制御のもとで、出力駆動回路部７１を通じて供給される電力で作動する。
【００３７】
次に節水について、図１、図２、図３、図５、図７等に沿い、主に洗濯量（負荷量）、洗濯水量（給水量）、の観点から説明する。
【００３８】
洗濯水量は洗濯する洗濯量に応じて決まる。洗濯量は図３に示す布量センサー７８（洗濯量センシング手段）で計測する。洗濯量の計測は、洗濯衣類が乾いている状態で布量センサーにより衣類の量をセンシングし、その計測値に応じて洗濯水量、洗剤量が決まる。洗濯槽９に給水する洗濯水量は水位センサー４１により計量される。洗剤トレー１６に投入される洗剤は、洗濯水量に対し使用量を決定し７セグＬＥＤ部１１２に表示される。
【００３９】
図５は、洗濯水量に応じた洗剤量を表した一例であり、水量と洗剤量を標準コースと節水コースに分けて対比表としてまとめたデータテーブルである。
【００４０】
このデータテーブルの値は、図３のＲＯＭ６４ｂに格納されている。それぞれの洗濯量（負荷量）に対応する標準コースの洗濯水量（給水量）・洗剤量と節水コースの洗濯水量（給水量）・洗剤量が関連付けされて格納されている。このため、洗濯量（負荷量）が求められると、標準コースでは洗濯水量（給水量）・洗剤量がいくらであるか、節水コースではいくらになるか把握できる。
【００４１】
プログラムキー１０３（図２に示す）で、標準コースを選択しているときは、洗濯量（負荷量）に応じた標準コース側のデータがＣＰＵ６２に取り込まれて洗濯の運転動作に使われる。節水コースを選択しているときは、節水コース側のデータがＣＰＵ６２に取り込まれて洗濯の運転動作に使われる。
【００４２】
例えば、乾布での洗濯量（負荷量）が８.５kgのときは、標準コースで洗いの水量が７２Ｌ（リットル）・洗剤量が５２ｇ／節水コースが洗いの水量が６７Ｌ・洗剤量が５２ｇである。
【００４３】
節水コースでは洗い工程だけで、標準コースに比べ５Ｌの節水になる。ただし洗剤量は標準コースと同じにしている。これについては後述する。
【００４４】
洗濯量（負荷量）が４.５kgのときは、標準コースで洗いの水量が５３Ｌ・洗剤量が３７ｇ／節水コースが洗いの水量が５０Ｌ・洗剤量が３５ｇである。節水コースでは洗い工程だけで、標準コースに比べ３Ｌの節水になる。ただし洗剤量は標準コースに比べ２ｇの減量にしている。これについても後述する。
【００４５】
洗濯量（負荷量）が０.５kgのときは、標準コースで洗いの水量が２４Ｌ・洗剤量が１４ｇ／節水コースが洗いの水量が２４Ｌ・洗剤量が１４ｇである。節水コースでも標準コースと同量の水量・洗剤量である。これについても後述する。
【００４６】
上記のように洗濯量（負荷量）が８.５kgから７kgと高負荷量のときは、節水コースでは洗濯水量を少なくして節水化を図っている。
【００４７】
しかし洗剤量の減量は避けている。洗剤量を減量しないのは、節水コースでの洗浄力の低下抑制にある。すなわち、高負荷量での節水は洗濯水の低減により洗い運転動作での衣類の動きが鈍り、洗浄力が下がる傾向がある。これを避けるために、節水コースでの洗剤量を標準コースと同量にし、節水コースでの洗剤濃度を標準コースよりも高濃度にしている。これにより、節水コースでの洗浄力低下は高濃度の洗濯水とすることにより化学力の作用で洗浄力の低下を抑えられ、節水コースでも標準コースに劣らない洗濯を提供できる。
【００４８】
また、洗濯量（負荷量）が６kgから１.５kgと中から小負荷量のときは、節水コースでは水量も洗剤量も少なくしている。中から小負荷量のときは洗濯水を低減しても洗い運転動作での衣類動きの鈍りが少ないので洗浄力の低下はほとんどない。これにより、節水コースでの水量低減に合せて洗剤量も少なくし、節水コースと標準コースを同程度の洗浄力にしたのである。
【００４９】
洗濯量（負荷量）が０.５kgと極少ない小負荷量のときは、節水コースでも標準コースと同量の水量・洗剤量にした。これ以上の水量低減、洗剤量低減は洗浄力を損ねる。それを避けるために、洗濯量（負荷量）が規定値以下のときは節水コースでも標準コースと同量の水量または洗剤量にして洗浄力が損なわれるのを抑制した。
【００５０】
図７に沿って標準コースと節水コースのフローについて説明する。  
ステップ３０１で、電源スイッチキー１０１（図２）をオンすると、初期設定として全自動コースが表示され、ここで最初に標準コース（ステップ３０３）が選択されＬＥＤ９１ａの点灯表示が行われる。
【００５１】
標準コース３０３が選択されている状態で、操作部にあるプログラムキー１０３を１回押すと、次に節水コース（ステップ３０４）が選択されてＬＥＤ９１ａの点灯の表示が行われ、標準コースの選択は取り消される。
【００５２】
ステップ３０５では、スタートキー１０２をオンすると、節水コースか否かが判定される。節水コースが選択されているときは、図５に示す節水コースの運転になる（ステップ３０７ａ）。標準コースが選択されているときは、図５に示す標準コースの運転になる（ステップ３０７ｂ）。
【００５３】
選択されている運転に入ると、まず布量センサー７８により洗濯する洗濯量のセンシングが行われる。洗濯量のセンシングは洗濯衣類が乾いている状態でする。攪拌翼１１を回転し、攪拌翼１１に加わる抵抗負荷量から洗濯量を測定する。測定された洗濯量に応じて洗濯水量（給水量）・洗剤量が決まる。
【００５４】
例えば図５に示す、標準コースが選択され洗濯量の計測値が８.５kgのときには、洗濯水量は７２Ｌ・洗剤量は５２ｇになる。
【００５５】
これに対し、節水コースが選択されているときには、洗濯水量は６７Ｌ・洗剤量は５２ｇになり、洗濯水の節水を実現できる。
【００５６】
この標準コース・節水コースのいずれでも、洗濯水量・洗剤量は布量センサー７８の測定により自動的に決まる。
【００５７】
ユーザの好みや勘に頼るのとは違い洗濯水量・洗剤量が少なかったり、多かったりすることもない。ユーザが何れのコースを選択しても洗濯量に適した洗濯水量・洗剤量での良好な洗濯が提供される。特に節水での運転は標準での運転に比べ使用頻度が少なく、給水制限や節水の呼び掛けがあっても節水運転における洗濯水量・洗剤量の減量加減に戸惑う。このため、節水での運転に応じられない場合が多い。しかし、この洗濯機は、ユーザが節水コースを選択するだけで、洗濯水量・洗剤量の減量加減は一切不要である。使い勝手の良い節水ができる洗濯機である。
【００５８】
ここで、図５に基づき、洗濯量と水量の適正な関係に関し説明する。縦型洗濯機における洗濯量（kg）に対し水量（Ｌ）を浴比と定義すると、洗濯物３８に付着した汚れを洗濯物３８の傷みを損なわずに除去するための浴比の適正値は、８.２（Ｌ／kg）以上となることが、実験結果や市場での使用実態から得られている。
【００５９】
しかし、浴比８.２（Ｌ／kg）では洗濯時における節水効果が得られないため、その浴比を８.０（Ｌ／kg）以下とする必要性がある。浴比を８.０（Ｌ／kg）以下とすると、洗濯時に洗濯物３８の動きが悪くなり、洗濯物３８に十分な機械力が伝わらないため、汚れ落ちが悪くなる傾向にある。
【００６０】
その対応として、例えば図５に示す定格８.５kg洗濯時での節水コースの水量低下に対し洗剤量は、標準コースにおける洗剤量を図２に示す７セグＬＥＤ部１１２に表示し、節水コースの水量低下に対し、洗剤濃度を高くした条件の基で洗濯することにより洗剤の持つ化学力の効果を発揮し洗濯物３８に付着した汚れを除去する制御としている。
【００６１】
少量負荷である洗濯物３８が０.５kgの場合、洗濯水量は標準コースと節水コースは同量の水量となっている。
【００６２】
これは、洗濯物３８が０.５kgから１.０kgの場合における水量を少なくすると、給水された水位（洗濯水の高さ）が、洗濯槽９の中央部に位置している羽根１１より低くなり、構造上羽根１１が水面より出てしまい０.５kg程度の洗濯物３８が洗濯水に浸らなくなり、洗濯ができなくなるためである。
【００６３】
次に洗濯機の全自動運転工程、および全自動運転工程を通じて行われる節水に関し、図４−Ａ、図４−Ｂ、図４−Ｃ、図６−Ａ、図６−Ｂ、図６−Ｃ等に基づいて説明する。
【００６４】
まず、図４−Ａに沿って述べる。これは標準コースでの全自動運転工程である。  
ここでの全自動運転工程は洗濯量のセンシング４０１、洗いの給水４０２、洗い工程４０３、洗い後の排水４０４、中間脱水（１）の４０５、すすぎ（１）給水４０６、すすぎ（１）４０７、すすぎ（１）後の排水４０８、中間脱水（２）４０９、すすぎ（２）給水４１０、すすぎ（２）４１１、すすぎ（２）後の排水４１２、最終脱水４１３を有する。
【００６５】
この標準コースの全自動運転工程で使用される水量は、図６−Ａに示す。図６−Ａに挙げたのは、標準コースで定格容量８.５kgの洗濯量を洗った例示である。洗い給水量は７２Ｌで標準水量である。すすぎ１給水、すすぎ２給水はそれぞれ６８Ｌで、溜めすすぎである。合計水量が２０８Ｌで標準使用水量である。標準コースでは洗濯量１kgあたり使用水量は２４Ｌ／kgになる。
【００６６】
図４−Ｂは節水コースでの全自動運転工程である。ここでの全自動運転工程は洗濯量のセンシング５０１、洗いの給水５０２、洗い工程５０３、洗い後の排水５０４、中間シャワー注水すすぎ脱水（１）の５０５、中間シャワー注水すすぎ脱水（２）５０７、すすぎ脱水（２）後の排水５１２、最終脱水５１３を有する。
【００６７】
この節水コースでも、前述した標準コースと同様に図６−Ｂに示す定格容量８.５kgの洗濯量を洗うものとする。定格容量８.５kgの洗濯量に対する節水コースでの洗い給水量は標準コース（洗い水量７２Ｌ）から水量低減された６７Ｌであるので、洗い給水量だけで５Ｌの節水が図られる。
【００６８】
この節水コースでは、前述した標準コースでの溜めすすぎに替え、中間シャワー注水すすぎ脱水をするので、すすぎでも節水が図られ、節水の効果が拡大する。この効果拡大について、図４−Ｃを用いて説明する。
【００６９】
すなわち、図４−Ｃに示すように、洗い工程後の排水６０４に続く中間脱水（１）６０５、中間脱水（２）６０６を経て最終脱水工程５０７が行われる。この中間脱水（１）６０５、中間脱水（２）６０６の終わりに、中間シャワー注水脱水（１）６０８、および中間シャワー注水脱水（２）６０９を設けた。この中間シャワー注水脱水（１）６０８と中間シャワー注水脱水（２）６０９が、標準コースでの溜めすすぎに替わるものである。
【００７０】
中間シャワー注水脱水（１）６０８と中間シャワー注水脱水（２）６０９は洗濯槽９の回転数を２００RPM以下（１６０RPM〜１７０RPM程度）に維持する。１６０RPM〜１７０RPM程度の回転数は回転数検知手段により検知し、その低い回転数を維持しながら水道水（清水）をシャワー散水２８（図１に示す）する。シャワー散水２８は間欠的に６〜７回行う。
【００７１】
中間シャワー注水脱水はシャワー散水時の水はねを防止するために、中間脱水（洗濯槽９の回転数が８００RPM〜１０００RPM）よりも相当低い回転（１６０RPM〜１７０RPM程度）でのシャワー散水２８になる。
【００７２】
シャワー散水２８は、図１で説明したように、洗濯槽９の内周に張り付いている洗濯物３８に均一に注がれるので斑なく洗濯物３８に含まれる洗剤分が除去される。
【００７３】
洗濯槽９が約２００RPM以下の低速で回転させながらシャワー散水２８により、すすぎ水が洗濯物に十分浸透し、すすぎがよく行われる。それとともに、高速回転によるすすぎ水の飛散を抑えることもできる。
【００７４】
図６−Ｂに示すシャワー散水２８は間欠的に６〜７回行う給水量を２０Ｌ／分とし、間欠シャワーのオン時間を２.５秒間とした場合、散水量は５〜６Ｌとなる（約４.５Ｌ）。このシャワー散水２８の給水量は標準コースでのすすぎ給水量６８Ｌに比べ格段に少なく、節水が顕著である。
【００７５】
図６−Ｃは節水コースの全自動運転工程で使用される水量で、すすぎを溜めすすぎでした場合である。洗い給水が６７Ｌ、すすぎ１給水が６４Ｌ、すすぎ２給水が６４Ｌで、合計水量が１９５Ｌである。この節水コースでは洗濯量１kgあたり使用水量は２２.９Ｌ／kgになる。この節水コースでも図６−Ａに示す標準コースでの使用水量に比べ約１３Ｌの節水効果がある。
【００７６】
また、図６−Ｃにおいて、すすぎ１の給水をシャワー給水（すすぎ２でも良い）として、散水量を４.７Ｌとし、溜めすすぎとシャワーすすぎを併用した場合には、標準使用水量が約１３６Ｌと、図６−Ａに対し約７２Ｌの節水効果が得られる。
【００７７】
なお、縦型洗濯機はドラム式洗濯機に比べ洗濯に使う水量が多く、縦型洗濯機での節水効果は大である。
【符号の説明】
【００７８】
９  洗濯槽
２５  注水ケース（給水手段）
４１  水位センサー（水位検知手段）
６１  制御ユニット部（制御装置）
７８  布量センサー（洗濯量センシング手段）
９１  操作表示パネル
【図１】
2013255530.tif 000003
【図２】
2013255530.tif 000004
【図３】
2013255530.tif 000005
【図４−Ａ】
2013255530.tif 000006
【図４−Ｂ】
2013255530.tif 000007
【図４−Ｃ】
2013255530.tif 000008
【図５】
2013255530.tif 000009
【図６−Ａ】
2013255530.tif 000010
【図６−Ｂ】
2013255530.tif 000011
【図６−Ｃ】
2013255530.tif 000012
【図７】
2013255530.tif 000013